(57)【要約】【課題】操作部材の機器本体に対するがたつきを抑制しながらも十分な低コスト化を図ることができる回転操作器及び当該回転操作器を備えた電子機器を提供する。【解決手段】オーディオ装置２は回転操作器１を備えている。回転操作器１は回転検出器１０と操作部材１１と転がり軸受１２と内輪用固定部材１３と外輪用固定部材１４を備えている。回転検出器１０はオーディオ装置２の機器本体３に取り付けられた本体部１５と軸芯Ｐ回りに回転自在に設けられた回転軸１６とを有している。操作部材１１は記回転検出器１０の回転軸１６に取り付けられた取付部２２を有している。転がり軸受１２は取付部２２と機器本体３との間に設けられている。内輪用固定部材１３は取付部２２との間に転がり軸受１２の内輪３０を軸芯Ｐに沿って挟みこんで固定する。外輪用固定部材１４は機器本体３との間に転がり軸受１２の外輪３１を軸芯Ｐに沿って挟みこんで固定する。【選択図】図３
2012104317.tif 000002
【特許請求の範囲】
【請求項１】
本体部と、
前記本体部に軸芯回りに回転自在に設けられた回転軸と、
前記回転軸に取り付けられた取付部と、
前記取付部と前記回転軸とのうちの一方を前記本体部に対して前記軸芯回りに回転自在に支持する軸受と、を備えた回転操作器において、
前記軸受を前記軸芯に沿って挟み込んで固定する固定部材を備えたことを特徴とする回転操作器。
【請求項２】
前記本体部は、機器本体に取り付けられ、
前記軸受は、前記一方と前記機器本体との間に設けられ、
前記固定部材は、前記一方と前記機器本体とのうちの少なくともいずれかとの間に前記軸受を前記軸芯に沿って挟み込んで固定する、
ことを特徴とする請求項１記載の回転操作器。
【請求項３】
前記一方と前記機器本体とのうちの少なくともいずれかに、前記軸受の周面と重なる周面重なり面が設けられ、前記周面重なり面の前記軸芯方向の高さが前記軸受の前記軸芯方向の厚みよりも小さいことを特徴とする請求項１又は請求項２記載の回転操作器。
【請求項４】
前記軸受が、互いに同軸に設けられた内輪と外輪とこれらの間に転動自在に設けられた転動体とを備えた転がり軸受であり
前記固定部材として、前記一方との間に前記軸受の前記内輪を前記軸芯に沿って挟みこんで固定する内輪用固定部材と、
前記固定部材として、前記機器本体との間に前記軸受の前記外輪を前記軸芯に沿って挟みこんで固定する外輪用固定部材と、を備えたことを特徴とする請求項１乃至請求項３のうちいずれか一項に記載の回転操作器。
【請求項５】
機器本体と、
前記機器本体に軸芯回りに回転自在に設けられた操作部材を有した回転操作器と、を備えた電子機器において、
前記回転操作器として、請求項１乃至請求項４のうちいずれか一項に記載の回転操作器を備えたことを特徴とする電子機器。
【発明の詳細な説明】
【技術分野】
【０００１】
本発明は、例えば、オーディオ装置などの電子機器に設けられて回転操作される回転操作器及び当該回転操作器を備えた電子機器に関する。
【背景技術】
【０００２】
例えば、オーディオ装置などの電子機器には、使用者の回転操作により操作情報を入力するための回転操作器が用いられている。この種の回転操作器は、機器本体のハウジングなどに取り付けられる本体部とこの本体部に軸芯回りに回転自在に設けられた回転軸とを有した回転検出器と、前記回転検出器の前記回転軸に取り付けられかつ前述した使用者に回転操作される操作部材とを備えている。
【０００３】
この種の回転操作器は、前述した操作部材の前記機器本体に対するがたつきを抑制するために、前述した回転検出器として前記本体部に対する前記回転軸のいがたつきの少ない回転検出器を用いたり、前記機器本体と前記操作部材との間に弾性変形自在なシート部材を設けて、当該シート部材に前記操作部材を当接させてきた。しかしながら、前記本体部に対する前記回転軸のがたつきの少ない回転検出器を用いると、当該回転検出器自体のコストが高騰して回転操作器即ち電子機器のコストが高騰する問題があった。また、前記機器本体と前記操作部材との間に表面が滑らかなシート部材を設けると、前述したがたつきのために、軸芯回りに回転させた際に前記操作部材を前記シート部材に常に接触させておくことが困難となってしまう。このために、操作部材が軸芯回りに回転させた際にシート部材に間欠的に接触することとなり、操作部材を回転操作するときの感触が悪化してしまうという問題があった。
【０００４】
前述した問題を解決するために、本発明の出願人は、前述した機器本体と前記操作部材との間に当該操作部材を前記軸芯回りに回転自在に支持する軸受としての転がり軸受を設けた回転操作器（例えば、特許文献１参照）を提案している。この特許文献１に示された回転操作器は、機器本体の前記電子機器の外殻を構成するハウジングに取り付けられかつ前記回転検出器の本体部が取り付けられるブラケットと、前記操作部材の前記回転軸の外周に取り付けられる取付部との間に前述した転がり軸受を設けている。特許文献１に示された回転検出器は、転がり軸受の外輪の外周にブラケットを嵌合し、転がり軸受の内輪の内周に前記取付部を嵌合させることで、前述した転がり軸受により操作部材が機器本体に対してがたつくことを抑制している。
【先行技術文献】
【特許文献】
【０００５】
【特許文献１】特開２０１０−３４７２号公報
【発明の概要】
【発明が解決しようとする課題】
【０００６】
前述した特許文献１に示された回転操作器は、前述したブラケットを転がり軸受の外輪の外周に嵌合し、取付部を転がり軸受の内輪に嵌合している。即ち、特許文献１に示された回転操作器では、ブラケットと転がり軸受の外輪とを所謂しまり嵌めによりこれらを固定し、取付部と転がり軸受の内輪とを所謂しまり嵌めによりこれらを固定している。このために、ブラケットと取付部の寸法公差が１／１０００ｍｍ程度であることが要求され、これらの製造にかかるコストを低減できずに、特許文献１に示された回転操作器では、十分に低コスト化を図ることが困難であった。
【０００７】
上記した問題点を鑑みてなされた本発明の目的の一例は、操作部材の取付部などの機器本体に対するがたつきを抑制しながらも十分な低コスト化を図ることができる回転操作器及び当該回転操作器を備えた電子機器を提供することにある。
【課題を解決するための手段】
【０００８】
前記課題を解決し目的を達成するために、請求項１に記載の本発明の回転操作器は、本体部と、前記本体部に軸芯回りに回転自在に設けられた回転軸と、前記回転軸に取り付けられた取付部と、前記取付部と前記回転軸とのうちの一方を前記本体部に対して前記軸芯回りに回転自在に支持する軸受と、を備えた回転操作器において、前記軸受を前記軸芯に沿って挟み込んで固定する固定部材を備えたことを特徴としている。
【図面の簡単な説明】
【０００９】
【図１】本発明の一実施例にかかる回転操作器を備えたオーディオ装置の外観を示す斜視図である。
【図２】図１に示された回転操作器の分解斜視図である。
【図３】図１中のＩＩＩ−ＩＩＩ線に沿う断面図である。
【図４】図２に示された固定部材を機器本体に取り付けた状態を示す斜視図である。
【発明を実施するための形態】
【００１０】
この発明の回転操作器は、本体部に対して操作部材を回転自在に支持する軸受を、軸芯に沿って挟み込んで固定する固定部材を備えている。こうすることで、軸受を軸芯方向に沿って挟み込んで固定することとなるので、軸受と、当該軸受の内周に設けられる取付部と回転軸とのうちの一方とを所謂しまり嵌めにより固定する必要がない。さらに、この発明の回転操作器は、軸受と、当該軸受の外周に設けられる機器本体などとを所謂しまり嵌めにより固定する必要がない。このために、この発明の回転操作器は、軸受と、前述した一方及び機器本体の寸法精度に対する要求を、例えば、１／１０ｍｍ程度などの前述した特許文献１に示されたものよりの十分に低くすることが出来る。よって、この発明の回転操作器は、前述した一方と機器本体などの製造に係る工数を削減でき、勿論、これらのコストの低減を図ることができる。したがって、この発明の回転操作器は、軸受を設けて取付部の機器本体に対するがたつきを抑制しながらも十分な低コスト化を図ることができる。
【００１１】
また、この発明の回転操作器は、固定部材が取付部と回転軸とのうちの一方と機器本体とのうちの少なくともいずれかとの間に、軸受を挟み込んで固定してもよい。この場合、軸受を軸芯方向に沿って確実に挟み込んで固定することとなるので、この発明の回転操作器は、軸受と、前述した一方及び機器本体の寸法精度に対する要求を、例えば、１／１０ｍｍ程度などの前述した特許文献１に示されたものよりの十分に低くすることが出来る。よって、この発明の回転操作器は、軸受を設けて操作部材の取付部などの機器本体に対するがたつきを抑制しながらも十分な低コスト化を図ることができる。
【００１２】
また、この発明の回転操作器は、前述した一方と機器本体とのうちの少なくともいずれかに設けられ、かつ軸受の周面に重ねられる周面重なり面の高さを、軸受の厚みよりも小さくしてもよい。この場合、固定部材が、軸受を前述した一方と機器本体とのうちの少なくともいずれかとの間に挟み込むと、当該固定部材が、軸受に確実に接触することとなり、前述した少なくともいずれかとの間に軸受を確実に挟み込んで固定できる。よって、この発明の回転操作器は、操作部材の機器本体に対するがたつきを確実に抑制することができる。
【００１３】
さらに、この発明の回転操作器は、軸受として転がり軸受を用い、固定部材として前述した一方との間に転がり軸受の内輪を挟み込んで固定する内輪用固定部材を設け、固定部材として機器本体との間に転がり軸受の外輪を挟み込んで固定する外輪用固定部材を設けてもよい。この場合、転がり軸受の内輪と外輪それぞれを軸芯に沿って挟み込んで固定するので、転がり軸受を確実に固定することができる。よって、この発明の回転操作器は、操作部材の機器本体に対するがたつきを確実に抑制することができる。
【００１４】
また、この発明は、前述した回転操作器を備えた電子機器としても良い。この場合、軸受を設けて操作部材の機器本体に対するがたつきを抑制しながらも十分な低コスト化を図ることができる。
【実施例】
【００１５】
以下、本発明の一実施例にかかる回転操作器及び電子機器としてのオーディオ装置を、図１乃至図４を参照して説明する。回転操作器１は、例えば、図１に示す電子機器としてのオーディオ装置２に用いられる。オーディオ装置２は、例えば、建造物の室内に設置され、かつ周知の図示しないスピーカが接続される。
【００１６】
オーディオ装置２は、図１に示すように、機器本体３と、再生装置としてのＣＤ（Compact Disk）プレーヤと、再生装置としてのＤＶＤ（Digital Versatile Disc）プレーヤと、ラジオ放送を受信するＡＭ／ＦＭチューナと、外部情報再生装置と、複数の外部接続用端子部４と、操作部５とを備えている。
【００１７】
機器本体３は、扁平な箱状に形成されかつ前述した建造物の室内に設置される。機器本体３の図１中手前側に位置する一つの壁３ａ（以下、前壁と呼ぶ）には、ＣＤ及びＤＶＤを出し入れするための開閉テーブル６と、複数の外部接続用端子部４が設けられている。これらの外部接続用端子部４には、周知のＵＳＢメモリなどの外部の情報記録媒体及びパーソナルコンピュータなどの外部の情報記憶端末が接続する。
【００１８】
ＣＤプレーヤは、機器本体３内に収容されており、機器本体３に挿入されたＣＤの情報を読み出して、音声としてスピーカに出力する。ＤＶＤプレーヤは、機器本体３内に収容されており、機器本体３に挿入されたＤＶＤの情報を読み出して、音声などとしてスピーカに出力する。ＡＭ／ＦＭチューナは、機器本体３内に収容されており、ラジオ放送を受信して、音声としてスピーカに出力する。外部情報再生装置は、機器本体３内に収容されており、前述した外部接続用端子部４に接続した情報記録媒体及び情報記憶端末に記憶された情報を読み出して、音声などとしてスピーカに出力する。これらのプレーヤ、チューナ及び外部情報再生装置は、操作部５に設けられた後述する回転操作器１等を使用者が回転操作されることによって、音声の音量を変更するなどの動作を行う。
【００１９】
操作部５は、機器本体３の前壁３ａに開閉自在に設けられた開閉パネル７に設けられた複数の押圧スイッチと、前記前壁３ａに回転自在に設けられた回転操作器１とを備えている。押圧スイッチは、前記開閉パネル７が開放された状態で、使用者から押圧操作されることで、再生中又は受信中のプログラムを変更するためなどに用いられる。
【００２０】
回転操作器１は、前記前壁３ａの幅方向の一端部に設けられ、使用者などにより後述する操作部材１１を軸芯Ｐ（図３に示す）回りに回転されることで、再生中又は受信中のプログラムの音量を調整するために用いられる。回転操作器１は、図２及び図３などに示すように、回転検出器１０と、操作部材１１と、軸受としての転がり軸受１２と、固定部材としての内輪用固定部材１３と、固定部材としての外輪用固定部材１４と、を備えている。
【００２１】
回転検出器１０は、機器本体３の前壁３ａの内面に取り付けられた本体部１５と、この本体部１５から立設しかつ軸芯Ｐ回りに回転自在に前記本体部１５に設けられた回転軸１６とを備えている。本体部１５即ち回転検出器１０は、回転軸１６が回転されると、当該回転軸１６の軸芯Ｐ回りの回転方向及び回転角度（回転に応じた情報に相当する）を、前述したプレーヤ、チューナ及び外部情報再生装置に向かって出力する。回転軸１６は、前記前壁３ａを貫通した丸孔１７内に通されて、軸芯Ｐが前記前壁３ａの表面に対して交差（図示例では、直交）している。
【００２２】
なお、丸孔１７は、前記前壁３ａの幅方向の一端部に設けられている。丸孔１７は、機器本体３の内側から順に、回転軸通し部１８と、軸受通し部１９と、操作部通し部２０とが設けられている。回転軸通し部１８は、内径が回転軸１６の外径と略等しく形成されている。軸受通し部１９は、内径が回転軸通し部１８の内径よりも大きくかつ転がり軸受１２の外輪３１の外径と略等しく形成されている。操作部通し部２０は、内径が軸受通し部１９の内径よりも大きくかつ後述する操作部５の外径よりも若干大きく形成されている。これらの回転軸通し部１８と軸受通し部１９と操作部通し部２０は、互いに同軸に設けられている。
【００２３】
また、前述した軸受通し部１９の回転検出器１０の本体部１５寄りの縁には、丸孔１７の内周方向に突出した重なり段部２１が一体に設けられている。重なり段部２１の表面２１ａには、転がり軸受１２の本体部１５寄りの端面１２ａが重ねられる。このため、重なり段部２１の表面２１ａは、特許請求の範囲に記載された重なり面となっている。また、軸受通し部１９の内周面１９ａには、外輪３１即ち転がり軸受１２の周面としての外周面１２ｂが重ねられる。このため、軸受通し部１９の内周面１９ａは、特許請求の範囲に記載された周面重なり面となっている。軸受通し部１９の内周面１９ａの軸芯Ｐ方向の高さＴａは、転がり軸受１２の厚みＤよりも若干小さく形成されている。
【００２４】
操作部材１１は、図２及び図３に示すように、互いに別体の取付部２２と、操作部２３とを備えている。取付部２２は、円筒状に形成された円筒部２４と、フランジ部２５とを備えている。円筒部２４は、その内径が回転軸１６の外径と略等しく形成され、外径が軸受通し部１９の内径よりも小さく形成されている。円筒部２４は、その内側に回転検出器１０の回転軸１６を通している。円筒部２４は、当該円筒部２４を貫通してねじ込まれる止ねじ２６により回転軸１６に固定されて、当該回転軸１６と同軸に設けられている。フランジ部２５は、円筒部２４の回転検出器１０寄りの端部に設けられかつ当該円筒部２４の外周方向に突出した円環状に形成されている。フランジ部２５は、その外径が軸受通し部１９の内径よりも小さく形成されている。前述した取付部２２は、円筒部２４が止ねじ２６により回転軸１６に固定されることで、当該回転軸１６に取り付けられている。
【００２５】
また、前述したフランジ部２５の回転検出器１０の本体部１５寄りの縁には、取付部２２の外周方向に突出した重なり片２７が一体に設けられている。重なり片２７の表面２７ａには、転がり軸受１２の本体部１５寄りの端面１２ａが重ねられる。このため、重なり片２７の表面２７ａは、特許請求の範囲に記載された重なり面となっている。また、フランジ部２５の外周面２５ａには、内輪３０即ち転がり軸受１２の周面としての内周面１２ｃが重ねられる。このため、フランジ部２５の外周面２５ａは、特許請求の範囲に記載された周面重なり面となっている。フランジ部２５の外周面２５ａの軸芯Ｐ方向の高さＴｂは、転がり軸受１２の厚みＤよりも若干小さく形成されている。
【００２６】
操作部２３は、厚手の円盤状に形成されている。操作部２３は、その外径が軸受通し部１９の内径よりも大きくかつ操作部通し部２０の内径より若干小さく形成されている。操作部２３はその中央部に取付部２２が挿入される凹み２８が設けられている。操作部２３は、凹み２８内に取付部２２を収容した状態で、当該操作部２３を貫通してねじ込まれる図示しない止ねじにより取付部２２に固定されて、当該回転軸１６及び取付部２２などと同軸に設けられている。操作部２３は、取付部２２を介して、回転軸１６に取り付けられることで、当該回転軸１６とともに前記軸芯Ｐ回りに回転自在となる。前述した操作部材１１の操作部２３は、使用者により前記軸芯Ｐ回りに回転操作される。
【００２７】
転がり軸受１２は、互いに同軸に設けられた内輪３０と、外輪３１と、これら内外輪３０，３１間に転動自在に設けられた転動体としての玉３２とを備えている。内輪３０の内径即ち転がり軸受１２の内径は、操作部材１１の取付部２２のフランジ部２５の外径と略等しく形成されている。外輪３１の内径は勿論内輪３０の外径よりも大きく形成されている。内輪３０即ち転がり軸受１２は、その内側にフランジ部２５を通して、当該フランジ部２５の外周面２５ａ上に設けられている。なお、本発明では、内輪３０の内径即ち転がり軸受１２の内径と、操作部材１１の取付部２２のフランジ部２５の外径とに要求される寸法精度は、所謂しまり嵌めに要求される寸法精度よりも十分に低く、図示例では、内輪３０の即ち転がり軸受１２と、フランジ部２５との間には、１／１０ｍｍ程度の隙間が設けられている。
【００２８】
外輪３１の外径即ち転がり軸受１２の外径は、丸孔１７の軸受通し部１９の内径と略等しく形成されている。外輪３１即ち転がり軸受１２は、丸孔１７の軸受通し部１９内に通されて、当該軸受通し部１９の内周面１９ａ上に設けられている。なお、本発明では、外輪３１の外径即ち転がり軸受１２の外径と、軸受通し部１９の内径とに要求される寸法精度は、所謂しまり嵌めに要求される寸法精度よりも十分に低く、図示例では、外輪３１の即ち転がり軸受１２と、軸受通し部１９との間には、１／１０ｍｍ程度の隙間が設けられている。
【００２９】
玉３２は、球状に形成されており、内外輪３０，３１間を転動することにより、これらの内外輪３０，３１が相対的に回転することを許容する。
【００３０】
このように、転がり軸受１２は、内輪３０がフランジ部２５の外周面２５ａ上に設けられ、かつ外輪３１が軸受通し部１９の内周面１９ａ上に設けられることで、回転検出器１０の回転軸１６、操作部材１１の取付部２２、操作部５及び丸孔１７などと同軸に配置されている。こうして、転がり軸受１２は、操作部材１１の取付部２２のフランジ部２５の外周面と、機器本体に設けられた丸孔１７の軸受通し部１９の内周面との間に設けられて、玉３２が内外輪３０，３１間を転動してこれら内外輪３０，３１が相対的に回転することで、操作部材１１の取付部２２を機器本体３即ち本体部１５に対して前述した軸芯Ｐ回りに回転自在に支持する。
【００３１】
内輪用固定部材１３は、薄手の円環状に形成されている。内輪用固定部材１３は、その内径が取付部２２の外径よりも大きくかつフランジ部２５の外径よりも小さく形成されている。内輪用固定部材１３は、その外径がフランジ部２５の外径及び転がり軸受１２の内径よりも大きくかつ転がり軸受１２の内輪３０の外径よりも小さく形成されている。内輪用固定部材１３は、図３及び図４に示すように、内側に操作部材１１の取付部２２を通して、フランジ部２５に重ねられて、これらと同軸に配置される。そして、内輪用固定部材１３は、フランジ部２５にねじ込まれるねじ３３などによりフランジ部２５に固定される。このとき、前述した高さＴｂが厚みＤより小さく形成されているので、内輪用固定部材１３は、転がり軸受１２の内輪３０のみを軸芯Ｐに沿ってフランジ部２５の重なり片２７との間に挟み込んで固定することとなる。
【００３２】
外輪用固定部材１４は、薄手の円環状に形成されている。外輪用固定部材１４は、その内径が内輪用固定部材１３の外径及び転がり軸受１２の外輪３１の内径よりも大きく、かつ軸受通し部１９の内径よりも小さく形成されている。外輪用固定部材１４は、図３及び図４に示すように、その外径が操作部通し部２０の内径よりも小さく形成されている。外輪用固定部材１４は、内側に操作部材１１の取付部２２を通して、転がり軸受１２の外輪３１と丸孔１７の軸受通し部１９と操作部通し部２０との間に重ねられて、これらと同軸に配置される。そして、外輪用固定部材１４は、機器本体３にねじ込まれるねじ３４などにより当該機器本体３に固定される。このとき、前述した高さＴａが厚みＤより小さく形成されているので、外輪用固定部材１４は、転がり軸受１２の外輪３１のみを軸芯Ｐに沿って機器本体３の丸孔１７の軸受通し部１９の重なり段部２１との間に挟み込んで固定することとなる。
【００３３】
こうして、前述した構成の回転操作器１は、使用者により操作部材１１の操作部材１１が軸芯Ｐ回りに回転される回転操作が施されることで、操作部５とともに回転軸１６が回転して、回転検出器１０が回転軸１６の回転方向及び回転角度などの前述したプレーヤ、チューナなどを操作するための信号を出力する。
【００３４】
本実施例によれば、機器本体３即ち本体部１５に対して操作部材１１即ち取付部２２を回転自在に支持する転がり軸受１２を、操作部材１１の取付部２２と機器本体３との双方との間に、軸芯Ｐに沿って挟み込んで固定する固定部材１３，１４を備えている。このために、転がり軸受１２を軸芯Ｐ方向に沿って挟み込んで固定することとなるので、転がり軸受１２と、当該転がり軸受１２の内周に設けられる操作部材１１の取付部２２とを所謂しまり嵌めにより固定する必要がない。さらに、転がり軸受１２と、当該転がり軸受１２の外周に設けられる機器本体３とを所謂しまり嵌めにより固定する必要がない。
【００３５】
このために、転がり軸受１２と、前述した操作部材１１の取付部２２及び機器本体３の寸法精度に対する要求を、例えば、１／１０ｍｍ程度などの従来よりの十分に低くすることが出来る。よって、回転操作器１は、前述した操作部材１１の取付部２２と機器本体３の製造に係る工数を削減でき、勿論、これらのコストの低減を図ることができる。したがって、回転操作器１は、転がり軸受１２を設けて操作部材１１の機器本体３に対するがたつきを抑制しながらも十分な低コスト化を図ることができる。
【００３６】
また、この回転操作器１は、前述した操作部材１１の取付部２２と機器本体３とのうちの双方に設けられ、かつ転がり軸受１２の外内周面１２ｂ，１２ｃに重ねられる周面重なり面としての内周面１９ａの高さＴａ及び外周面２５ａの高さＴｂを、転がり軸受１２の厚みＤよりも小さくしている。このために、固定部材１３，１４が、転がり軸受１２を前述した操作部材１１の取付部２２と機器本体３とのうちの双方との間に挟み込むと、当該固定部材１３，１４が、転がり軸受１２に確実に接触することとなり、前述した双方との間に転がり軸受１２を確実に挟み込んで固定できる。よって、この回転操作器１は、操作部材１１の機器本体３に対するがたつきを確実に抑制することができる。
【００３７】
さらに、この回転操作器１は、軸受として転がり軸受１２を用い、固定部材として前述した操作部材１１の取付部２２との間に転がり軸受１２の内輪３０を挟み込んで固定する内輪用固定部材１３を設け、固定部材として機器本体３との間に転がり軸受１２の外輪３１を挟み込んで固定する外輪用固定部材１４を設けている。このために、転がり軸受１２の内輪３０と外輪３１それぞれを軸芯Ｐに沿って挟み込んで固定するので、転がり軸受１２を確実に固定することができる。よって、この回転操作器１は、操作部材１１の機器本体３に対するがたつきを確実に抑制することができる。
【００３８】
また、オーディオ装置２は、前述した回転操作器１を備えているので、転がり軸受１２を設けて操作部材１１の機器本体３に対するがたつきを抑制しながらも十分な低コスト化を図ることができる。
【００３９】
前述した実施例では、軸受としての転がり軸受１２を操作部材１１の取付部２２と機器本体３との間に設けたが、本発明では、軸受を回転検出器１０の回転軸１６と機器本体３との間に設けてもよい。また、前述した実施形態では、軸受として、内外輪３０，３１及び玉３２を有する転がり軸受１２を用いているが、本発明では、軸受として滑り軸受を用いてもよい。この場合、操作部材１１の取付部２２と回転軸１６とのうちの一方と、機器本体３とのうちのいずれかとの間に、当該滑り軸受を軸芯Ｐに沿って挟み込んで固定する固定部材を設ければよい。この場合、勿論、前記一方と機器本体３とのうちのいずれかに滑り軸受の端面が重ねられる重なり面と滑り軸受の内外周面のうちのいずれかに重ねられる周面重なり面を設けるのが望ましい。
【００４０】
このように、本発明では、操作部材１１の取付部２２と回転軸１６とのうちの一方と、機器本体３と、のうちの少なくともいずれかとの間に軸受を挟み込んで固定する固定部材を設ければよく、前述した一方と機器本体３とのうちの少なくともいずれかに滑り軸受の端面が重ねられる重なり面と滑り軸受の周面に重ねられる周面重なり面を設ければよい。
【００４１】
なお、前述した実施例は本発明の代表的な形態を示したに過ぎず、本発明は、実施例に限定されるものではない。即ち、本発明の骨子を逸脱しない範囲で種々変形して実施することができる。
【００４２】
前述した実施例によれば、以下の回転操作器１が得られる。
【００４３】
（付記）  本体部１５と、
前記本体部１５に軸芯Ｐ回りに回転自在に設けられた回転軸１６と、
前記回転軸１６に取り付けられた取付部２２と、
前記取付部２２と前記回転軸１６とのうちの一方を前記本体部１５に対して前記軸芯Ｐ回りに回転自在に支持する軸受１２と、を備えた回転操作器１において、
前記軸受１２を前記軸芯Ｐに沿って挟み込んで固定する固定部材１３，１４を備えたことを特徴とする回転操作器。
【００４４】
付記に記載の回転操作器１によれば、本体部１５に対して取付部２２を回転自在に支持する転がり軸受１２を、軸芯Ｐに沿って挟み込んで固定する固定部材１３，１４を備えている。このために、転がり軸受１２を軸芯Ｐ方向に沿って挟み込んで固定することとなるので、転がり軸受１２と、当該転がり軸受１２の内周に設けられる操作部材１１の取付部２２などとを所謂しまり嵌めにより固定する必要がない。さらに、転がり軸受１２と、当該転がり軸受１２の外周に設けられる機器本体３などとを所謂しまり嵌めにより固定する必要がない。
【００４５】
このために、転がり軸受１２と、前述した操作部材１１の取付部２２及び機器本体３の寸法精度に対する要求を、例えば、１／１０ｍｍ程度などの従来よりの十分に低くすることが出来る。よって、回転操作器１は、前述した操作部材１１の取付部２２と機器本体３の製造に係る工数を削減でき、勿論、これらのコストの低減を図ることができる。したがって、回転操作器１は、転がり軸受１２を設けて操作部材１１の機器本体３に対するがたつきを抑制しながらも十分な低コスト化を図ることができる。
【符号の説明】
【００４６】
１  回転操作器
２  オーディオ装置（電子機器）
３  機器本体
１０  回転検出器
１１  操作部材
１２  転がり軸受（軸受）
１２ａ  端面
１２ｂ  外周面（周面）
１２ｃ  内周面（周面）
１３  内輪用固定部材（固定部材）
１４  外輪用固定部材（固定部材）
１５  本体部
１６  回転軸
１９ａ  内周面（周面重なり面）
２１ａ，２７ａ  表面（重なり面）  スイッチ
２２  取付部
２５ａ  外周面（周面重なり面）
３０  内輪
３１  外輪
３２  玉（転動体）
Ｐ  軸芯
Ｄ  厚み
Ｔａ  内周面の高さ
Ｔｂ  外周面の高さ
【図１】
2012104317.tif 000003
【図２】
2012104317.tif 000004
【図３】
2012104317.tif 000005
【図４】
2012104317.tif 000006